(57)【要約】【課題】容易に緑化のための外壁を施工することが可能であるとともに利便性にも優れたサイディング、及び該サイディングを備える外壁を提供する。【解決手段】建物外周に沿って並列されるサイディング１０であって、板状である基板１１と、基板の端面のうち１つの端面に形成される係合部１２と、基板の端面のうち係合部に対向する他の端面に設けられる被係合部１３と、基板の表面に配置される植物定着手段１４、１５と、を備えることを特徴とする。【選択図】図２
2010007380.tif 000002
【特許請求の範囲】
【請求項１】
建物外周に沿って並列されるサイディングであって、
板状である基板と、
前記基板の端面のうち１つの端面に形成される係合部と、
前記基板の端面のうち前記係合部に対向する他の端面に設けられる被係合部と、
前記基板の表面に配置される植物定着手段と、を備えることを特徴とするサイディング。
【請求項２】
前記植物定着手段が多孔質材であることを特徴とする請求項１に記載のサイディング。
【請求項３】
前記多孔質材が、溶岩であることを特徴とする請求項２に記載のサイディング。
【請求項４】
請求項１〜３のいずれか一項に記載のサイディングを建物の外周に沿って並列させることにより形成されることを特徴とする外壁。
【発明の詳細な説明】
【技術分野】
【０００１】
本発明は、建物の外周に沿って並列して建物外壁を形成する外壁材の１つであるサイディング、及び該サイディングを備える外壁に関し、詳しくは、簡易に緑化のための外壁を形成することができるサイディング、及び該サイディングを備える外壁に関する。
【背景技術】
【０００２】
近年における住環境に関する関心の高まりに対し、様々な取り組みが行われている。その中の１つとして、壁面の緑化を挙げることができる。壁面の緑化は、建物の壁面に直接に植物を育成したり、植物を定着させたりすることにより壁面を緑化するというものである。壁面の緑化は例えば庭のような特別なスペースがなくても植物が有する利益（空気の清浄化、外観向上等）を享受することができる。
【０００３】
従来において、このような壁面の緑化技術として例えば特許文献１に記載の発明が開示されている。これは金属のプレートや金属製のネットに多孔質素材を配置し、ここに植物を定着させるというものである。
【特許文献１】特開２００３−５５９７４号公報
【発明の開示】
【発明が解決しようとする課題】
【０００４】
しかしながら、特許文献１に記載のような従来の緑化手段は、土木やビル等の構造物を対象としており、これを一般住宅の緑化手段に適用することは困難であった。
【０００５】
そこで、本発明は上記問題点に鑑み、容易に緑化のための外壁を施工することが可能であるとともに利便性にも優れたサイディング、及び該サイディングを備える外壁を提供することを課題とする。
【課題を解決するための手段】
【０００６】
以下、本発明について説明する。なお、本発明の理解を容易にするために添付図面の参照符号を括弧書きにて付記するが、それにより本発明が図示の形態に限定されるものではない。
【０００７】
請求項１に記載の発明は、建物外周に沿って並列されるサイディング（１０）であって、板状である基板（１１）と、基板の端面のうち１つの端面に形成される係合部（１２）と、基板の端面のうち係合部に対向する他の端面に設けられる被係合部（１３）と、基板の表面に配置される植物定着手段（１４、１５）と、を備えることを特徴とするサイディングを提供することにより前記課題を解決する。
【０００８】
ここで、「基板の表面」とは、建物に備えられたときに室外側に向けられるいわゆる意匠面側の面を意味する。
【０００９】
請求項２に記載の発明は、請求項１に記載のサイディング（１０）の植物定着手段（１４、１５）が多孔質材であることを特徴とする。
【００１０】
請求項３に記載の発明は、請求項２に記載のサイディング（１０）の多孔質材が、溶岩であることを特徴とする。
【００１１】
請求項４に記載の発明は、請求項１〜３のいずれか一項に記載のサイディングを建物の外周に沿って並列させることにより形成されることを特徴とする外壁（１）を提供することにより前記課題を解決する。
【発明の効果】
【００１２】
本発明によれば、容易に緑化外壁を施工することができるとともに、利便性に優れたサイディング、及び該サイディングを備える外壁を提供することができる。
【００１３】
本発明のこのような作用及び利得は、次に説明する発明を実施するための最良の形態から明らかにされる。
【発明を実施するための最良の形態】
【００１４】
以下本発明を図面に示す実施形態に基づき説明する。ただし本発明は当該実施形態に限定されるものではない。
【００１５】
図１は１つの実施形態に係るサイディング１０の斜視図で、図１（ａ）が表面（意匠面）１１ａを手前に、図１（ｂ）が裏面（取付面）１１ｂを手前に示した図である。図２は、サイディング１０の表面１１ａ及び裏面１１ｂを表す平面図である。さらに図３は図２（ａ）の右側面図で、紙面左側が表面１１ａ、紙面右側が裏面１１ｂである。図１〜図３を参照しつつサイディング１０について説明する。
【００１６】
サイディング１０は、いわゆる窯業サイディングであり、基板１１と、溶岩１４、１４、…、１５、１５、…とを備えている。
基板１１はサイディング１０の基礎を形成する板状の部材で、所定の寸法に形成されている。基板１１の当該寸法は特に限定されるものではないが、例えば高さ（図２における紙面上下方向寸法）は２００〜３０３０ｍｍ、長さ（図２における紙面左右方向寸法）は９００ｍｍ〜３０３０ｍｍ、厚さ（図３における紙面左右方向寸法）は１４ｍｍ〜３０ｍｍの範囲で形成されることが好ましい。また、基板１１は、表面（意匠面）１１ａ、裏面（取付面）１１ｂ、係合部１２、及び被係合部１３を有して形成されている。以下各構成について説明する。
【００１７】
表面１１ａは、サイディング１０の意匠面を形成する面である。後述するように当該表面１１ａに溶岩１４、１４、…、１５、１５、…が貼り付けられる。また、溶岩１４、１４、…、１５、１５、…の間の表面１１ａは室外に露出する。従って表面１１ａには色彩や模様が付されていてもよい。
【００１８】
表面１１ａには、防水及び防汚のための表面処理がなされている。これにより、サイディング１０は、サイディングが外壁材として備えるべき各種機能を有している。当該防水、防汚のための処理としては例えばフッ素コーティング、親水性処理、発水性処理等を挙げることができる。
【００１９】
基板１１の表面１１ａにこのようにサイディング本来の機能を備えることにより、後述するように、溶岩に植物が育ち、定着しても、溶岩以外の表面１１ａには苔等の繁殖、植物の定着を防止することでき、優れた外観を得ることができる。
【００２０】
裏面１１ｂは、サイディング１０の取付面を形成し、建物の躯体に面して取り付けられる。
【００２１】
係合部１２は、図１、図３からわかるように基板１１の一端面から立設するように突出する突起１２ａを備えている。突起１２ａは基板１１の端面のうち厚さ方向（図３の紙面左右方向）略中央に配置された突起である。突起１２ａは図３に示した断面を有して基板１１の端面に沿って紙面奥／手前方向に延在している（図１、２参照）。
【００２２】
被係合部１３は、図３からわかるように基板１１の端面のうち上記した係合部１２が配置される端面に対向する端面に設けられ、溝１３ａを有している。該溝１３ａは、基板１１の厚さ方向（図３の紙面左右方向）略中央に配置された溝で、溝幅が突起１２ａの幅より若干大きく形成されている。また溝１３ａの深さは突起１２ａの高さと概ね同じである。溝１３ａは、図３に示した断面を有して基板１１の端面に沿って紙面奥／手前方向に延在している（図１、２参照）。
【００２３】
基板１１が上記のような係合部１２、及び被係合部１３を備えることにより、後述するように並列して連結され、建物に安定して取り付けることができる。本実施形態では係合部１２、及び被係合部１３が備えられていない端面は平滑面とされているが、ここを合じゃくり形状としてもよい。これにより当該端面においても隣接するサイディングと組み合わせることができ、より安定してサイディングを取り付けることができる。さらには、係合部１２、被係合部１３の代わりにここも合じゃくり形状としてもよい。すなわち４辺の全てを合じゃくり形状とすることもできる。
【００２４】
溶岩１４、１４、…、１５、１５、…は、植物定着手段としての多孔質材の１つの例である。溶岩１４、１４、…、１５、１５、…は、所定の厚さに揃えられてその切断面が基板１１の表面１１ａに貼り付けられている。切断面を表面１１ａに貼り付けることにより平滑である接着面を大きく取ることができ、適切な接着をすることが可能となる。また、溶岩１４、１４、…、１５、１５、…の厚さを揃えることにより整然とした美観を得ることができ、意匠性が向上する。
【００２５】
ここで、用いられる溶岩の大きさや厚さ、及びその配置はデザインにより様々なものを組み合わせることができ、特に限定されるものではない。
【００２６】
溶岩１４、１４、…、１５、１５、…の基板１１への貼り付けは、接着剤により行われる。適切に接着することができれば接着剤の種類は特に限定されるものではないが、耐候性や接着力、入手の容易性等の観点から、例えば変成シリコン樹脂系接着剤やエポキシ変成シリコン樹脂系接着剤等を用いることができる。
【００２７】
本実施形態では好ましい植物定着手段として溶岩を用いている。溶岩は水分を吸収しやすいとともに、保湿性に優れ、いわゆる湿潤状態を維持できるので植物の定着、苔類の育成に適している。ただし、植物定着手段としてはこれに限定されることなく、他の素材として、例えば人工軽量骨材、多孔質石材、ポーラスコンクリート等を用いることができる。
【００２８】
また、本実施形態では接着剤により溶岩を基板に貼り付けているがこれに限定されるものではなく、適切に植物定着手段を基板に固定することができれば良い。これには例えばアンカー、釘、ボルト等を用いてもよい。
【００２９】
また、本実施形態では窯業サイディングを例に説明したが、これが金属サイディング、又はセラミックサイディングを基板とするものであっても同様の効果を奏するサイディングとすることができる。
【００３０】
このようなサイディング１０を建物外周に並列させることにより外壁を形成することができる。以下に詳しく説明する。
図４は外壁１を室外側正面から見た図で、その一部を表している。ここではわかり易さのため、サイディング１０、１０、…を示すとともにサイディング１０より室内側に具備される部材は破線で示している。また図４に表したサイディング１０、１０、…の左右、及び上方にも同様にサイディング１０、１０、…が並列されているが、ここでは省略している。このように、本発明のサイディング１０、１０は、建物の外周に沿って並列され、これにより外壁１を形成している。
【００３１】
外壁１は、室内側（紙面奥側）から室外側（紙面手前側）に向けて柱２、２、間柱５、５、と、不図示の透湿防水シートと、胴縁６、６、…と、不図示の留金具と、サイディング１０、１０、…とを備えている。
柱２、２は、建物の構造部材のうちの１つのである通常の建物の柱であり、間柱５、５は、柱２、２に略平行であるとともに該柱２、２の間に設けられている。
【００３２】
胴縁６、６、…は柱２、２、及び間柱５、５の室外側面を渡すように設けられ、所定の間隔を有して並列される棒状の部材である。これによりサイディング１０、１０、…の裏面側（室内側）に通気、通水の空間を確保することができる。また、柱２、２、間柱５、５と、胴縁６、６、…との間に透湿防水シートが挟まれるように張られている。
【００３３】
胴縁６、６、…の室外側面には、不図示の留金具が所定の位置に取り付けられる。これはサイディング１０、１０、…を外壁に固定するための金具である。
【００３４】
サイディング１０、１０、…は、図４からわかるように長手方向を水平にして建物外周に沿って配置されている。このとき係合部１２は上、被係合部１３は下に向けられる。そして、サイディング１０、１０、…は、留金具に取り付けられることにより外壁に固定される。このとき、上下に隣接するサイディング１０、１０、…では、該隣接するサイディング１０、１０の係合部１２と被係合部１３とが係合するように嵌め込まれる。また、サイディングの端面が合じゃくり加工されているときには、ここで合いじゃくりによる組み合わせが行われる。
【００３５】
その他、透湿防水シートの室内側には断熱、耐火のための手段である例えばグラスウールや石こうボード等が必要に応じて備えられていてもよい。
【００３６】
このようにサイディング１０、１０、…を備える外壁において、外壁の緑化をおこなうことができる。緑化の態様は、植物の種類等により様々なものを想定することができる。以下に例を説明する。
【００３７】
上記したように溶岩１４、１４、…、１５、１５、…は多孔質であるので、この孔に植物の種を入れておき、これを育成させることにより外壁の緑化をさせることができる。また、ここに苔類を定着させてもよい。この場合には上記したように多孔質である保水性を活用することができ、雨水や簡単な散水により水を供給すればよい。
【００３８】
また、外壁１に近い地面にプランター等を置き、ここから外壁１に沿って植物を育成させ、これを外壁１に定着させる態様も挙げることができる。プランターを使用することなく直接地面から育成させてもよい。
【００３９】
このように本発明のサイディング及び該サイディングを備える外壁によれば、通常のサイディングを施工するのと同様の手順及び工数で、緑化外壁を形成することができる。
【００４０】
以上、現時点においてもっとも実践的であり、かつ好ましいと思われる実施形態に関連して本発明を説明したが、本発明は、本願明細書中に開示された実施形態に限定されるものではなく、請求の範囲及び明細書全体から読み取れる発明の要旨或いは思想に反しない範囲で適宜変更可能であり、そのような変更を伴うサイディング及び該サイディングを備える外壁もまた本発明の技術的範囲に包含されるものとして理解されなければならない。
【図面の簡単な説明】
【００４１】
【図１】１つの実施形態に係るサイディングの表裏斜視図である。
【図２】図１に示したサイディングの表裏平面図である。
【図３】図１に示したサイディングの側面図である。
【図４】図１に示したサイディングを備える外壁の一部に注目した図である。
【符号の説明】
【００４２】
１  外壁
２  柱（建物の躯体）
３、４  梁（建物の躯体）
５  間柱
６  胴縁
１０  サイディング
１１  基板
１１ａ  表面（意匠面）
１１ｂ  裏面（取付面）
１２  係合部
１３  被係合部
１４、１５  溶岩（植物定着手段、多孔質材）
【図１】
2010007380.tif 000003
【図２】
2010007380.tif 000004
【図３】
2010007380.tif 000005
【図４】
2010007380.tif 000006